(57)【特許請求の範囲】
【請求項１】
チャンバ本体に形成されたダクト接続孔に接続用ダクトの接続側端部を挿入し、上記チャンバ本体内に突出させた接続側端部の外周部に、固定バンド、パッキンの順に通し、更にフランジ部の筒部を接続側端部の内周部に挿入し、上記チャンバ本体内で固定バンドを締めて接続側端部とフランジ部とを連結し、パッキンがフランジ部で押されてチャンバ本体の内壁部に当接するまで、接続側端部をチャンバ本体外に押し出すと共に、上記フランジ部を上記チャンバ本体の内壁部にねじを用いて固定したことを特徴とする吹出しチャンバ。
【請求項２】
チャンバ本体の吹出し用開口部が床面に開口し、この開口部に吹出しグリルを備えたことを特徴とする請求項１記載の吹出しチャンバ。
【請求項３】
室内機の吹出し口に一端が接続されたダクトの他端を吹出しチャンバに接続してなる空気調和システムにおいて、
上記吹出しチャンバが、チャンバ本体に形成されたダクト接続孔に接続用ダクトの接続側端部を挿入し、上記チャンバ本体内に突出させた接続側端部の外周部に、固定バンド、パッキンの順に通し、更にフランジ部の筒部を接続側端部の内周部に挿入し、上記チャンバ本体内で固定バンドを締めて接続側端部とフランジ部とを連結し、パッキンがフランジ部で押されてチャンバ本体の内壁部に当接するまで、接続側端部をチャンバ本体外に押し出すと共に、上記フランジ部を上記チャンバ本体の内壁部にねじを用いて固定したことを特徴とする空気調和システム。
【請求項４】
チャンバ本体の吹出し用開口部が床面に開口し、この開口部に吹出しグリルを備えたことを特徴とする請求項３記載の空気調和システム。
【発明の詳細な説明】
【０００１】
【発明の属する技術分野】
本発明は、例えば、室内機からの空調空気を被調和室に吹き出すための吹出しチャンバおよびそれを用いた空気調和システムに関する。
【０００２】
【従来の技術】
一般に、全館空調システム等では、建物の階段下等に室内機を設置して、各部屋に形成された複数の吹出しチャンバには、上記室内機からダクトを通じて空調空気を供給する方式が採用されている。
【０００３】
【発明が解決しようとする課題】
上記吹出しチャンバが、例えば、床下に設置されて、そのチャンバ本体の吹出し用開口部が被調和室に向けて床面に開口する場合、吹出しチャンバと室内機とのダクト接続作業は床下で行われるために、その連結作業はきわめて困難になるという問題がある。従来の代表的な接続作業例を説明すると、まず、作業員が床下に潜って吹出しチャンバと室内機とをダクトで接続し、その後、床上に戻って、床板に形成された開口部から手を入れて、その開口部の真下にある吹出しチャンバを引き上げ、この引き上げた吹出しチャンバの上部を床板の開口部に固定し、その上に吹出しグリルを取り付ける。
【０００４】
しかし、このような接続作業は困難であるばかりか、将来のメンテナンスをも困難にするという問題がある。
【０００５】
そこで、本発明の目的は、上述した従来の技術が有する課題を解消し、ダクトの接続作業の簡素化が図れる吹出しチャンバおよびそれを用いた空気調和システムを提供することにある。
【０００６】
【課題を解決するための手段】
請求項１記載の発明は、チャンバ本体に形成されたダクト接続孔に接続用ダクトの接続側端部を挿入し、上記チャンバ本体内に突出させた接続側端部の外周部に、固定バンド、パッキンの順に通し、更にフランジ部の筒部を接続側端部の内周部に挿入し、上記チャンバ本体内で固定バンドを締めて接続側端部とフランジ部とを連結し、パッキンがフランジ部で押されてチャンバ本体の内壁部に当接するまで、接続側端部をチャンバ本体外に押し出すと共に、上記フランジ部を上記チャンバ本体の内壁部にねじを用いて固定したことを特徴とする。
【０００７】
請求項２記載の発明は、請求項１記載のものにおいて、チャンバ本体の吹出し用開口部が床面に開口し、この開口部に吹出しグリルを備えたことを特徴とするものである。
【０００８】
請求項３記載の発明は、室内機の吹出し口に一端が接続されたダクトの他端を吹出しチャンバに接続してなる空気調和システムにおいて、上記吹出しチャンバが、チャンバ本体に形成されたダクト接続孔に接続用ダクトの接続側端部を挿入し、上記チャンバ本体内に突出させた接続側端部の外周部に、固定バンド、パッキンの順に通し、更にフランジ部の筒部を接続側端部の内周部に挿入し、上記チャンバ本体内で固定バンドを締めて接続側端部とフランジ部とを連結し、パッキンがフランジ部で押されてチャンバ本体の内壁部に当接するまで、接続側端部をチャンバ本体外に押し出すと共に、上記フランジ部を上記チャンバ本体の内壁部にねじを用いて固定したことを特徴とする。
【０００９】
請求項４記載の発明は、請求項３記載のものにおいて、チャンバ本体の吹出し用開口部が床面に開口し、この開口部に吹出しグリルを備えたことを特徴とするものである。
【００１０】
【発明の実施の形態】
以下、本発明の一実施形態を、図面に基づいて説明する。
【００１１】
図１は、全館空調システムを示している。この空調システムでは、建物１の外に２台の室外機２，３が設置され、一方の室外機２は冷媒管４を介して屋根裏部屋の室内機５に接続され、他方の室外機３は冷媒管６を介して階段下部屋の室内機７に接続されている。
【００１２】
屋根裏部屋の室内機５にはダクト８を介して吸込みチャンバ９が接続されると共に、ダクト１０を介して分岐チャンバ１１が接続され、この分岐チャンバ１１にはダクト１２，１３を介して吹出しチャンバ１４，１５がそれぞれ接続されている。一方、階段下部屋には給気ダクト１６を介して外気が取り込まれる。この階段下の室内機７には、床下において、分岐チャンバ１７が接続され、この分岐チャンバ１７にはダクト１８，１９を介して吹出しチャンバ２０，２１がそれぞれ接続されている。
【００１３】
つぎに、図２を参照して、本実施形態にかかる吹出しチャンバ２０（または２１）の構造を説明する。
【００１４】
この吹出しチャンバ２０は、木製箱型のチャンバ本体３１を備え、このチャンバ本体３１の吹出し用開口部３１Ａは床面に開口させる（図１）。このチャンバ本体３１の側面には円形のダクト接続孔３１Ｂ、および切り欠き３１Ｃが一体に形成され、このダクト接続孔３１Ｂに接続用ダクト１８の接続側端部１８Ａが挿入され、チャンバ本体３１内で、この接続側端部１８Ａとフランジ本体３３とが連結され、このフランジ本体３３のフランジ部３３Ａがチャンバ本体３１の内壁部にねじ３５を介して固定される。
【００１５】
つぎに、図３を参照して、ダクト１８の接続手順を説明する。
【００１６】
図３Ａにおいて、まず、建物１の床板に対し、吹出しチャンバ２０を取り付けるための開口４１が形成され、この開口近くの床下に、接続用ダクト１８の接続側端部１８Ａを位置させておく。
【００１７】
ついで、図３Ｂに示すように、床板の開口４１にチャンバ本体３１を上から挿入して、このチャンバ本体３１を木ねじ４２で床部に固定する。つぎに、床上から開口４１、吹出し用開口部３１Ａ、ダクト接続孔３１Ｂに手を通し、ダクト接続孔３１Ｂの外に位置する接続用ダクト１８の接続側端部１８Ａを掴み、これをチャンバ本体３１内に引き込む。
【００１８】
そして、図３Ｃに示すように、このチャンバ本体３１内で、接続側端部１８Ａとフランジ本体３３とを連結する。
【００１９】
これを連結する場合、図２を参照して、チャンバ本体３１内に突出させた接続側端部１８Ａの外周部に固定バンド３３Ｂ、パッキン３３Ｃを通し、接続側端部１８Ａの内周部にフランジ部３３Ａの筒部を挿入し、固定バンド３３Ｂを締めて、接続側端部１８Ａとフランジ部３３Ａとを連結する。
【００２０】
ついで、固定バンド３３Ｂの突起を、切り欠き３１Ｃに位置あわせした後、フランジ本体３３のフランジ部３３Ａ、パッキン３３Ｃが、チャンバ本体３１の内壁部に当接するまで、接続側端部１８Ａをチャンバ本体３１外に押し退ける。この状態で、フランジ本体３３のフランジ部３３Ａをチャンバ本体３１の内壁部にねじ３５を用いて固定する。
【００２１】
最後に、図３Ｄに示すように、チャンバ本体３１の上端に金属製のフレーム４５をビスで固定し、図３Ｅに示すように、金網４６，吹出しグリル４７の順に重ね、ビス４８で固定する。
【００２２】
本実施形態では、チャンバ本体３１内で、接続側端部１８Ａとフランジ本体３３とを連結し、このフランジ本体３３をチャンバ本体３１の内壁部に固定する方法が採用されるため、作業時に、一々床下に潜らなくてもよく、ダクトの接続作業性を向上させることができる。
【００２３】
また、チャンバ本体３１の取り付け位置は、ダクト１８の届く範囲であれば、任意の位置に取り付けが可能である。
【００２４】
図４、図５は別の実施形態を示す。
【００２５】
この実施形態では、フランジ本体３３のフランジ部３３Ａおよびパッキン３３Ｃの各下端部を、ガイドするための断面Ｌ字形のガイド部材５１が、チャンバ本体３１の内壁部に固定されている。これによれば、図５に示すように、ガイド部材５１によって、フランジ部３３Ａおよびパッキン３３Ｃの各下端部がガイドされ、それらが位置決めされるため、チャンバ本体３１内での、いわば手探り状態でのねじ３５止め作業が容易になる。
【００２６】
以上、一実施形態に基づいて本発明を説明したが、本発明はこれに限定されるものでないことは明らかである。
【００２７】
上記吹出しチャンバ２０は床下設置のものについて説明したが、これに限定されず、本発明は、例えば、天袋、地袋、天井裏等に設置される吹出しチャンバにも適用可能なことはいうまでもない。
【００２８】
【発明の効果】
本発明では、チャンバ本体内で接続側端部とフランジ本体とを連結し、このフランジ本体のフランジ部をチャンバ本体の内壁部に固定するため、ダクトの接続作業性を格段に向上させることができる。
【図面の簡単な説明】
【図１】全館空調システムを示す図である。
【図２】本発明による吹出しチャンバの一実施形態を示す分解斜視図である。
【図３】Ａ〜Ｅはダクトの接続手順を説明する図である。
【図４】別の実施形態を示す斜視図である。
【図５】図４の断面図である。
【符号の説明】
７  室内機
１８  接続用ダクト
１８Ａ  接続側端部
２０，２１  吹出しチャンバ
３１  チャンバ本体
３１Ａ  吹出し用開口部
３１Ｂ  ダクト接続孔
３１Ｃ  切り欠き
３３  フランジ本体
３３Ａ  フランジ部
３５  ねじ
【図１】
0004663163.tif 000002
【図２】
0004663163.tif 000003
【図３】
0004663163.tif 000004
【図４】
0004663163.tif 000005
【図５】
0004663163.tif 000006